(57)【要約】【課題】開閉フラップを剥離した際に、片手で前記開閉フラップを押さえなくても開き状態を保持できるようにして収容物の取出しを容易化する。【解決手段】ウェットティッシュ２を取り出すために上面側に取出口３が形成され、この取出口３を封鎖するために、当接面側に剥離可能な粘着層を有するとともに、一端側に摘み部７を有し、かつ他端側に剥離不能に接着された固定部６を有する開閉フラップ４を備えたフィルム包装体１Ａであって、前記開閉フラップ４の固定部６がフィルム包装体１Ａの他端側４Ｂにおいて一方の隅部側に片寄った位置にのみ設けられている構造とする。【選択図】  図１
2004299739.tif 000002
【特許請求の範囲】
【請求項１】
収容物を取り出すために上面側に取出口が形成され、この取出口を封鎖するために、当接面側に剥離可能な粘着層を有するとともに、一端側に摘み部を有し、かつ他端側に剥離不能に接着された固定部を有する開閉フラップを備えたフィルム包装体であって、
前記開閉フラップの固定部が、フィルム包装体の他端側において一方側に片寄った位置にのみ設けられていることを特徴とする開閉フラップを備えたフィルム包装体。
【請求項２】
前記開閉フラップの一端側において、前記開閉フラップの固定部に対して対角側となる部位に、側方に突出した摘み部が形成されるとともに、この摘み部の上面に摘み部用目印が設けられているとともに、前記開閉フラップの固定部近傍のフィルム包装体に前記摘み部に対応する貼付け位置用目印が設けられている請求項１記載のウェットティッシュ用フィルム包装体。
【請求項３】
収容物を取り出すために上面に取出口が形成され、この取出口を封鎖するために、当接面側に剥離可能な粘着層を有するとともに、一端側に摘み部を有し、かつ他端側に剥離不能に接着された固定部を有する開閉フラップを備えたフィルム包装体であって、
前記フィルム包装体は、少なくとも開閉フラップの固定部がわ側縁部分にシール封鎖部を有し、かつ前記開閉フラップの一端側に設けられた摘み部に、開閉フラップの固定部側に膨出する線形状の切込みが形成され、前記開閉フラップの開操作時に、該開閉フラップを反り返すように反転させ、前記摘み部に形成された切込みを前記シール封鎖部に係止可能としたことを特徴とする開閉フラップを備えたフィルム包装体。
【発明の詳細な説明】
【０００１】
【発明の属する技術分野】
本発明は、清浄液や化粧水などを含浸させたウエットティッシュ等を収容するフィルム包装体に関する。
【０００２】
【従来の技術】
近年、皮膚や家具の清拭、化粧落とし、幼児のお尻拭き等を目的として、清浄液や化粧水などを含浸させたウエットティッシュが広く使用されるようになっている。前記ウエットティッシュは、上面側に取出口を有するフィルム包装体に収容されているが、長時間空気に晒しておくと、含浸物が乾いたり揮発して品質が低下してしまうため、図９に示されるように、前記フィルム包装体５１の取出口５２を封鎖するために開閉可能な開閉フラップ５３が設けられている。この開閉フラップ５３は、フィルム包装体５１への当接面側に剥離可能な粘着層を有するとともに、一端側に摘み部５３ａを有し、かつ他端側に剥離不能に接着された固定部５４，５４を有するものである（例えば、下記特許文献１、２等参照）。
【０００３】
【特許文献１】
特開平７−２９１３７０号公報
【特許文献２】
実開平７−９１９６号公報
【０００４】
【発明が解決しようとする課題】
しかしながら、前記フィルム包装体５１は、開閉フラップ５３を開き、ウェットティッシュを取り出す際に、片方の手で前記開閉フラップ５３を押さえていないと、開閉フラップ５３が復元力により自然に取出口５２側に倒れてしまうためウェットティッシュを取り出し難いとともに、ウェットティッシュが開閉フラップ５３の粘着層と接触したり、指や手が粘着層と接触することにより粘着力の低下を招き、気密性が保持できなくなるため、ウェットティッシュの品質劣化を招くなどの問題があった。
【０００５】
そこで本発明の主たる課題は、開閉フラップを開操作する際に、手で押さえなくても、開閉フラップの開き状態を保持できるようにし、ウェットティッシュ等の収容物を容易に取出しできるようにするとともに、粘着層の粘着力低下を防止したフィルム包装体を提供することにある。
【０００６】
【課題を解決するための手段】
前記課題を解決するための請求項１に係る本発明として、収容物を取り出すために上面側に取出口が形成され、この取出口を封鎖するために、当接面側に剥離可能な粘着層を有するとともに、一端側に摘み部を有し、かつ他端側に剥離不能に接着された固定部を有する開閉フラップを備えたフィルム包装体であって、
前記開閉フラップの固定部が、フィルム包装体の他端側において一方側に片寄った位置にのみ設けられていることを特徴とする開閉フラップを備えたフィルム包装体が提供される。
【０００７】
上記請求項１記載の本発明においては、開閉フラップの固定部を、フィルム包装体の他端側において一方側に片寄った位置にのみ設けるようにした。従って、開閉フラップの開操作に当たり、摘み部分を指で摘んでそのまま開閉フラップを反り返すようにしながら斜め方向に反転させて、前記摘み部の粘着層部分をフィルム包装体に接着し、開閉フラップの開き状態を保持できるようになる。その結果、ウェットティッシュ等の収容物を容易に取り出しできるようになるとともに、開閉フラップの粘着力の低下を防ぎフィルム包装体の気密性を長期間に亘って維持できるようになる。上記開き操作は、例えば図９に示される従来のフィルム包装体であっても、開閉フラップを反り返すようにしながら反転させて摘み部をフィルム包装体の表面に接着させることが可能であるけれども、固定部を一方側に片寄った位置にのみ設けるようにした本発明では、固定部を設けていない他方側部分が剥離可能となるため、上記開き操作がより簡単に行えるようになる。
【０００８】
請求項２に係る本発明として、前記開閉フラップの一端側において、前記開閉フラップの固定部に対して対角側となる部位に、側方に突出した摘み部が形成されるとともに、この摘み部の上面に摘み部用目印が設けられているとともに、前記開閉フラップの固定部近傍のフィルム包装体に前記摘み部に対応する貼付け位置用目印が設けられている請求項１記載のウェットティッシュ用フィルム包装体が提供される。
【０００９】
上記請求項２記載の本発明においては、摘み部とフィルム包装体の貼付け位置とにそれぞれ目印を設けるようにした。従って、開閉フラップの摘み部をどの位置に接着すればよいのかの目安となるため、ユーザーが戸惑うこと無く、上記開操作を簡単に行うことが可能となる。
【００１０】
請求項３に係る本発明として、収容物を取り出すために上面に取出口が形成され、この取出口を封鎖するために、当接面側に剥離可能な粘着層を有するとともに、一端側に摘み部を有し、かつ他端側に剥離不能に接着された固定部を有する開閉フラップを備えたフィルム包装体であって、
前記フィルム包装体は、少なくとも開閉フラップの固定部がわ側縁部分にシール封鎖部を有し、かつ前記開閉フラップの一端側に設けられた摘み部に、開閉フラップの固定部側に膨出する線形状の切込みが形成され、前記開閉フラップの開操作時に、該開閉フラップを反り返すように反転させ、前記摘み部に形成された切込みを前記シール封鎖部に係止可能としたことを特徴とする開閉フラップを備えたフィルム包装体が提供される。
【００１１】
上記請求項３記載の本発明においては、開閉フラップの開操作時に前記開閉フラップを反転させ、前記摘み部に形成された切込みを前記シール封鎖部に係止可能とした。従って、前記開閉フラップを手で押さえなくても開き状態を保持できるようになり、ウェットティッシュ等の収容物を容易に取り出すことができるとともに、開閉フラップの粘着力の低下を防ぎフィルム包装体の気密性を長期間に亘って維持することが可能となる。
【００１２】
【発明の実施の形態】
以下、本発明の実施の形態について図面を参照しながら詳述する。
【００１３】
〔第１形態例〕
図１は本発明の第１形態例に係るフィルム包装体１Ａの斜視図であり、図２はその平面図である。
【００１４】
前記フィルム包装体１Ａは、図１に示されるように、短辺がわ側縁５，５がシール封鎖されることにより袋状に成形された包装体で、上下に積み重ねられたウエットティッシュ２、２が互いに折り重ねられ重畳されたウエットティッシュ束２Ａが収容され、上面に形成された楕円形の取出口３より前記ウエットティッシュ２を１枚づつ順に取り出せるようになっている。前記フィルム包装体１Ａには、前記取出口３を覆うように開閉可能な開閉フラップ４が設けられ、前記ウエットティッシュ２，２…の乾燥や成分の揮発を防ぐようになっている。
【００１５】
前記フィルム包装体１Ａの材質としては、ポリエチレン、ポリプロピン、ポリエステル、ポリアミド、ポリ塩化ビニル等の合成樹脂や、これら合成樹脂と、アルミホイルや紙とを貼り合わせたものを好適に使用することができ、前記開閉フラップ４においても同様な材質を好適に使用することができる。また、この開閉フラップ４の裏面側に塗布される粘着剤としては、ポリエステル系、ポリアクリル系、合成ゴム系の粘着剤等が好適に使用される。
【００１６】
前記開閉フラップ４についてさらに具体的に詳述すると、開閉フラップ４は略方形状を成し、フィルム包装体１Ａへの当接面側に剥離可能な粘着層を有するとともに、一端側４Ａに摘み部７を有し、かつ他端側４Ｂに剥離不能に接着された固定部６を有する構造となっている。
【００１７】
前記粘着層は、固定部６及び取出口３対応部等を除き、開閉フラップ４のほぼ全面に設けるようにしてもよいし、部分的に設けるようにしてもよい。但し、ウェットティッシュ２の乾燥や含浸剤の揮発を防止するためには、少なくとも取出口３を囲むように全周に亘り設ける必要がある。
【００１８】
前記固定部６は、開閉フラップ４に対して略Ｕ字状の切込みを形成し、このＵ字状部（斜線部）を接着剤によりフィルム包装体１Ａに剥離不能に接着することにより形成されている。前記Ｕ字状切込みの両端部に形成された返し部６ａ、６ｂは開閉フラップ４を反転方向に引っ張った場合でも切込み端部から裂け目が発生しないようにするためのものである。
【００１９】
本フィルム包装体１Ａでは、前記固定部６を、フィルム包装体１Ａの他端側４Ｂにおいて一方の隅部側に片寄った位置に対して１つだけ設けるようにし、反対側の隅部部分は粘着層によりフィルム包装体１Ａに対して剥離可能となっている。なお、本例では前記固定部６を図面上で下側隅部位置に設けるようにしたが、上側隅部位置に設けるようにしてもよい。
【００２０】
一方、開閉フラップ４の一端側４Ａにおいては、前記固定部６の対角側となる位置に、側方に突出した摘み部７が形成されている。この摘み部７のフィルム包装体１Ａ当接面には、その全面又は大部分に粘着層が形成されている。なお、摘み易いように、先端部分に粘着剤を塗布しない非粘着部７ａを設けるようにしてもよい。
【００２１】
前記開閉フラップ４を開操作してウェットティッシュ２を取り出す際には、図３に示されるように、前記摘み部７を指で摘み、そのまま開閉フラップ４を反転させながら斜め方向に折返し、摘み部７をフィルム包装体１Ａの上面に接着し開き状態を保持するようにする。
【００２２】
この際、ユーザーが開閉フラップ４の上記開き操作を戸惑うことなく行えるように、前記摘み部７の上面側に摘み部用目印８を設けるとともに、前記開閉フラップ４の固定部６近傍のフィルム包装体１Ａに前記摘み部７に対応する貼付け位置用目印９を設けるようにするのが望ましい。ユーザーは摘み部７を摘んでから、貼付け位置用目印９を目安にして摘み部７を最も望ましい所定位置に貼り付けできるようになる。
【００２３】
他方、フィルム包装体１Ａに収容されるウエットティッシュ２は、アルコール等の清浄液や、植物エキス等の化粧水、ローション等の薬剤などを含浸させた紙や不織布等が使用され、その重畳構造としては、図４に示されるように、各ウエットティッシュ２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるウエットティッシュ２の前記上部分２ｂのほぼ先端側半分が、上側に重ね合わされるウエットティッシュ２の前記上部分２ｂと中部分２ｃとによって挟まれながら、順次ウエットティッシュ２が積み重ねられている３つ折り（Ｚ折り）重畳構造や、図５に示されるように、中央線を折り目として約半分に折り畳まれた第１ウエットティッシュ２と、外側部分がそれぞれ反対面側に折り返され断面Ｚ状とされる第２ウエットティッシュ２’とが積層方向に交互に配列されるとともに、前記第１ウエットティッシュ２の上側部分２ｂのほぼ先端側半分が前記第２ウエットティッシュ２’の断面Ｚ形状を構成する下側の折返し部分２ｇと中間部分２ｆとの間に挟まれ、かつ前記第１ウエットティッシュ２の下側部分２ａのほぼ先端側半分が前記第２ウエットティッシュ２’の断面Ｚ形状を構成する上側折返し部分２ｅと中間部分２ｆとに挟まれながら順次積み重ねられている変形３つ折り（変形Ｚ折り）重畳構造などが好適に適用される。また、通常のティッシュペーパーのボックスタイプなどで一般的に採用されている２つ折りの重畳構造、具体的には図６に示されるように、各ウエットティッシュ２が略中央線を折り目として約半分に折り畳まれ、ウエットティッシュ２を１枚づつ交互に対向させ、上側に重ね合わされるウエットティッシュの下側部分２ａと下側に重ね合わされるウエットティッシュの上側部分２ｂとを順次重ね合わせた重畳構造としてもよい。
【００２４】
〔第２形態例〕
次いで、図７及び図８に示される本第２形態例に係るフィルム包装体１Ｂは、開閉フラップ４の摘み部７に切込み１０を設けるようにしたものである。本第２形態例において、前記フィルム包装体１Ａと同様な箇所については、図面に同符号を付して説明は省略する。
【００２５】
前記フィルム包装体１Ｂは、少なくとも開閉フラップの固定部がわ側縁５部分にシール封鎖部を有する構造とされ、開閉フラップ４は他端側４Ｂに一対の固定部６，６を有し、一端側４Ａに摘み部７を有する構造となっている。なお、前記摘み部７の位置は一端側４Ａのどの位置にあってもよい。
【００２６】
本形態例では、前記摘み部７に開閉フラップ４の固定部側に膨出する線形状の切込み１０が形成される。この切込み１０は、図示例では半円弧状としたが、コ字状、或いはＵ字状等、固定部６側に対して突出する線形状であればどのような形状であってもよい。
【００２７】
前記開閉フラップ４の開操作に当たっては、図８に示されるように、前記摘み部７を指で摘んで、そのまま開閉フラップ４を反り返すように反転させ、前記摘み部７に形成された切込み１０を前記シール封鎖部５に係止させるようにして開き状態を保持するようにする。
【００２８】
なお、上記形態例におけるフィルム包装体１Ｂでは、側方に突出した摘み部７としたが、突出部を有することなく、側縁から一定幅が未粘着層部とすることによって形成した摘み部であってもよい。この場合は、前記一定幅の未粘着層部の任意箇所に切込み１０が形成される。
【００２９】
（他の形態例）
（１）上記第１形態例では一方の隅部側に片寄った位置に１つだけ固定部６を設けるようにしたが、一方の隅部側に片寄った領域に複数の固定部６，６…を設けるようにしてもよい。この場合、すべての固定部６，６…は長手方向中心線Ｌの片側領域に設けるようにするのが望ましい。
【００３０】
（２）上記第１形態例および第２形態例では、フィルム包装体１Ａ、１Ｂの収容物がウエットティッシュである場合について述べたが、本発明に係るフィルム包装体１Ａ、１Ｂは、化粧品や清浄水、薬剤等を含浸させたガーゼ、脱脂綿等の医療品を収容物とするフィルム包装体に対しても適用が可能である。
【００３１】
【発明の効果】
以上詳説のとおり本発明によれば、開閉フラップを開操作する際に、手で押さえなくても、開閉フラップの開き状態を簡単に保持できるようになる。その結果、ウェットティッシュ等の収容物を容易に取出しできるようになるとともに、粘着層の粘着力低下を防止しフィルム包装体の気密性を長期間に亘って維持できるようになる。
【図面の簡単な説明】
【図１】本発明の第１形態例に係るフィルム包装体１Ａの斜視図である。
【図２】その平面図である。
【図３】開閉フラップ４を開いた状態を示すフィルム包装体１Ａの平面図である。
【図４】ウエットティッシュ２の重畳構造（３つ折り）を示す断面図である。
【図５】ウエットティッシュ２の重畳構造（変形３つ折り）を示す断面図である。
【図６】ウエットティッシュ２の重畳構造（２つ折り）を示す断面図である。
【図７】本発明の第２形態例に係るフィルム包装体１Ｂの斜視図である。
【図８】開閉フラップ４を開いた状態を示すフィルム包装体１Ｂの斜視図である。
【図９】従来のフィルム包装体を示す斜視図である。
【符号の説明】
１Ａ・１Ｂ…フィルム包装体、２…ウエットティッシュ、２Ａ…ウエットティッシュ束、３…取出口、４…開閉フラップ、４Ａ…一端側、４Ｂ…他端側、５…短辺がわ側縁、６…固定部、７…摘み部、８…摘み部用目印、９…貼付け位置用目印、１０…切込み
【図１】
2004299739.tif 000003
【図２】
2004299739.tif 000004
【図３】
2004299739.tif 000005
【図４】
2004299739.tif 000006
【図５】
2004299739.tif 000007
【図６】
2004299739.tif 000008
【図７】
2004299739.tif 000009
【図８】
2004299739.tif 000010
【図９】
2004299739.tif 000011